(57)【要約】イオン源が、基部、第１のチャンバ、第２のチャンバ、及び抽出部を含んでいる。第１のチャンバは、基部の下流に配置されていて、第１の圧力を有する第１の内部体積を画定している。第２のチャンバは、第１のチャンバの下流に配置されていて、第２の圧力を有する第２の内部体積を画定している。第２の圧力は第１の圧力より小さい。第１のチャンバ内にはリペラ電極が配置されている。抽出部は第２のチャンバの下流に配置されている。【選択図】図１
2021521605.tif 000002
【特許請求の範囲】
【請求項１】
基部と、
前記基部へ流体連結されていて前記基部の下流に配置されている第１のチャンバであって、第１の圧力を有する第１の内部体積を画定している第１のチャンバと、
前記第１のチャンバに流体連結されていて前記第１のチャンバの下流に配置されている第２のチャンバであって、前記第１の圧力より小さい第２の圧力を有する第２の内部体積を画定している第２のチャンバと、
前記第１のチャンバと前記第２のチャンバの間に配置されているノズルと、
前記第２のチャンバの下流に配置されている抽出器と、
を備えているイオン源。
【請求項２】
前記第１のチャンバ内に配置されたリペラ電極を更に備えている請求項１に記載のイオン源。
【請求項３】
前記基部は第１の接触区域を含み、前記第１のチャンバは前記第１の接触区域に係合する第２の接触区域を含んでいる、請求項１に記載のイオン源。
【請求項４】
前記第１のチャンバは第１の接触区域を含み、前記第２のチャンバは前記第１の接触区域に係合する第２の接触区域を含んでいる、請求項１に記載のイオン源。
【請求項５】
前記第１の接触区域は第１の磨かれた金属面を含み、前記第２の接触区域は前記第１の磨かれた金属面に直接係合する第２の磨かれた金属面を含んでいる、請求項４に記載のイオン源。
【請求項６】
前記ノズルは前記第２のチャンバと流体連通した円錐台形状を画定する孔を含んでいる、請求項１に記載のイオン源。
【請求項７】
前記第１のチャンバは前記第１の内部体積を画定している第１の内部面を含み、前記第２のチャンバは前記第２の内部体積を画定している第２の内部面を含み、前記第１の内部面と前記第２の内部面は等温性である、請求項１に記載のイオン源。
【請求項８】
前記イオン源は、正の化学イオン化マススペクトル、負の化学イオン化マススペクトル、電子捕獲負イオン化マススペクトル、光イオン化マススペクトル、又は電子イオン化マススペクトルのうちの１つ又はそれ以上を生じさせるように構成されている、請求項１に記載のイオン源。
【請求項９】
前記イオン源は、化学イオン化マススペクトルと電子イオン化マススペクトルの組合せを生じさせるように構成されている、請求項８に記載のイオン源。
【請求項１０】
前記イオン源は前記第１のチャンバの外に配置された第１のフィラメントを更に備え、前記第１のチャンバは、前記第１のフィラメントから発せられる第１の電子ビームを受け入れるように構成された第１の孔を画定している、請求項１に記載のイオン源。
【請求項１１】
前記イオン源は前記第２のチャンバの外に配置された第２のフィラメントを更に備え、前記第２のチャンバは、前記第２のフィラメントから発せられる第２の電子ビームを受け入れるように構成された第２の孔を画定している、請求項１０に記載のイオン源。
【請求項１２】
前記第１のフィラメントは第１の反射器を含み、前記第２のチャンバは第３の孔を画定しており、前記第１の反射器は前記第２の電子ビームを前記第３の孔を通して受け入れるように構成されている、請求項１１に記載のイオン源。
【請求項１３】
前記第１のチャンバ及び前記第２のチャンバの外に配置されていて前記第１の内部体積と前記第２の内部体積の少なくとも一方を通して磁力線を生成するように構成されている磁石、を更に備えている請求項１に記載のイオン源。
【請求項１４】
前記第１のチャンバは、ガスクロマトグラフからの毛細管カラムを受け入れるように構成された開口部を含んでいる、請求項１に記載のイオン源。
【請求項１５】
前記第１のチャンバは前記開口部と流体連通している円錐台状孔を含んでいる、請求項１４に記載のイオン源。
【請求項１６】
前記開口部は第１の寸法と前記第１の寸法に垂直の方向に延びる第２の寸法を画定しており、前記第１の寸法対前記第２の寸法の比は大凡１：４と１：６の間である、請求項１５に記載のイオン源。
【請求項１７】
前記第１の寸法は前記開口部の直径を画定し、前記第２の寸法は前記開口部の長さを画定している、請求項１６に記載のイオン源。
【請求項１８】
直接挿入プローブ、直接暴露プローブ、メンブレン、又は請求項１に記載のイオン源を含むガスクロマトグラフ、のうちの１つを備えている質量分析計。
【請求項１９】
前記ガスクロマトグラフは二次元ガスクロマトグラフである、請求項１８に記載の質量分析計。
【発明の詳細な説明】
【技術分野】
【０００１】
本開示は、概括的には質量分析のための２段イオン源に関しており、より具体的には閉鎖型イオン体積及び開放型イオン体積を備える２段イオン源に関する。
【背景技術】
【０００２】
この項は本開示に関係のある背景情報を提供しており、必ずしも先行技術であるとは限らない。
【０００３】
質量分析、具体的には試料分析は、ガスクロマトグラフィ−質量分析（ＧＣ−ＭＳ）又は２次元ガスクロマトグラフィ−質量分析（ＧＣｘＧＣ−ＭＳ）を採用していることがある。最初に、気化させた（又はガス状の）試料のガスクロマトグラフィ分離が、ヘリウムをキャリアガスとして使用して遂行されることになるだろう。試料は、源のイオン体積の中へ直接連結された移動ラインを通過している毛細管カラムでイオン源の中へ送達される。イオン源が設置されている真空チャンバ内の圧力は、１Ｅ−５ｍｂから１Ｅ−３ｍｂの間の真空に維持されることができる。試料分子のイオン化が起こる源のイオン体積の圧力は、源のイオン体積の設計及び対応するイオン化方法に依存して１Ｅ−５ｍｂから３ｍｂの間であるだろう。分析種分子は何らかのバックグラウンド分子及びキャリアガス分子と共に、電子イオン化（ＥＩ）、化学イオン化（ＣＩ）、電子捕獲負イオン化（ＥＣＮＩ）、光イオン化（ＰＩ）、又は何れかの他の適切なイオン化機構を介してイオン化されることができる。イオンは、イオン移動インターフェースによって質量分析部へ運ばれ、分子イオン、疑分子イオン、及び／又はフラグメントイオンの質量電荷比に従って同定されることになる。多種多様なイオン移動インターフェースが存在する。例えば、イオン移動インターフェースには、単一の孔又はアインツェルレンズの様な単純なインターフェース、又は複数のイオンレンズ及びＲＦイオンガイドの様な複雑なインターフェースが挙げられる。典型的な質量分析部は、中でも特に、飛行時間型、四重極型、及び各種イオントラップ型を含む。
【０００４】
質量分析、具体的にはＧＣ−ＭＳ又はＧＣｘＧＣ−ＭＳを採用している試料分析では、殆どの商業的ＧＣ−ＭＳイオン源が単一モード（例えば、電子イオン化（ＥＩ）及び化学イオン化（ＣＩ））であるために概してユーザーはスペクトル取得を始める前に望ましいイオン化型式を選択しなくてはならない。電界イオン化（ＦＩ）、光イオン化（ＰＩ）、及び様々な他の源も利用可能である。一部の商業的に利用可能な源には、高速置換手続きを提供していて機器の真空システム全体を通気し及び再脱気する必要性のないものもある。それでもイオン源切り替え時には、分析を始められるようになるまでに、ガス放出、加熱、及び源温度安定化のために必要な或る一定の時間遅延が存在する。
【０００５】
既知のシステムは、異なるイオン化型式を用いて分析を施行する場合の合間の時間遅延を最小限に抑えようと努めており、単一のクロマトグラフィピークの時間幅内が理想的である。これは、同じ源組立体が異なるイオン化型式を採用できるようになっているなら実現可能であるだろう。しかしながら、最適な電子イオン化と最適な化学イオン化は、大きく異なるイオン体積圧力（例えば、ＥＩについては１Ｅ−５ｍｂ〜１Ｅ−２ｍｂ、ＣＩ及びＥＣＮＩについては０．１ｍｂ〜３ｍｂ）にて起こる。ガス流量だけを変えることによってこの圧力ギャップを補うことは、利用可能な高真空ポンプの排気速度が制限されている（通常１００リットル毎秒〜１０００リットル毎秒）せいで実現しがたい。したがって、閉鎖型式のＥＩ源のイオン体積の出口の孔は、ＣＩ源のそれに比べてはるかに大きい総面積を有している。開放型ＥＩ源はメッシュを備えて構築されており、イオン光学要素間の広く開いたギャップを利用している。これらの制限を克服するべく、機械的にサイズ変更可能なイオン体積の孔を採用する幾つかの商業的な解がこれまでに提案されてきた。しかしながら、この解は源の分析特性に影響を及ぼしかねない、というのも、機械的に可動な要素は均一な温度に維持されるのがより困難であるからだ（典型的なＧＣイオン源の温度は摂氏１２０度と３５０度の間である）。源の等温性は、試料の吸着や分解を引き起こしクロマトグラフィピーク形状に悪影響を与えたり断片化を増加させたりする可能性のあるコールドスポット及びホットスポットを回避するうえで重要である。
【発明の概要】
【０００６】
この項は、本開示の全般的な概要を提供しており、本開示の完全範囲の又は本開示の特徴全ての包括的な開示ではない。
【０００７】
本開示の１つの態様はイオン源を提供している。イオン源は、基部、第１のチャンバ、第２のチャンバ、ノズル、リペラ電極、及び抽出部を含んでいる。第１のチャンバは、基部の下流に配置されていて、第１の圧力を有する第１の内部体積を画定している。第２のチャンバは、第１のチャンバの下流に配置されていて、第２の圧力を有する第２の内部体積を画定している。第２の圧力は第１の圧力より小さい。リペラ電極は第１のチャンバ内に配置されている。ノズルは第１のチャンバと第２のチャンバの間に配置されている。抽出部は第２のチャンバの下流に配置されている。
【０００８】
イオン源は次の特徴の１つ又はそれ以上を含んでいてもよい。幾つかの実施形では、第１のチャンバは第１の接触区域を含んでおり、第２のチャンバは第１の接触区域に係合する第２の接触区域を含んでいる。第１の接触区域は第２の接触区域に直接係合していてもよい。第１の接触区域は第１の磨かれた金属面を含み、第２の接触区域は第１の磨かれた金属面に直接係合する第２の磨かれた金属面を含んでいてもよい。
【０００９】
幾つかの実施形では、第１のチャンバは第１のチャンバ及び第２のチャンバと流体連通している孔を含んでいる。孔は円錐台形状を画定していてもよい。孔は、第１のチャンバから第２のチャンバへ流れる試料分子から分子ビームを形成するように構成されることができる。
【００１０】
幾つかの実施形では、第１のチャンバは第１の体積を画定する第１の内部面を含んでおり、第２のチャンバは第２の体積を画定する第２の内部面を含んでいる。第１の内部面と第２の内部面は等温性とすることができる。
【００１１】
幾つかの実施形では、イオン源は、正の化学イオン化マススペクトル、負の化学イオン化マススペクトル、電子捕獲負イオン化マススペクトル、光イオン化マススペクトル、又は電子イオン化マススペクトルのうちの１つ又はそれ以上を生じさせるように構成されている。イオン源は、化学イオン化マススペクトルと電子イオン化マススペクトルの組合せを生じさせるように構成されることもできる。
【００１２】
幾つかの実施形では、イオン源は第１のチャンバの外に配置された第１のフィラメントを含んでいる。第１のチャンバは、第１のフィラメントから発せられる第１の電子ビームを受け入れるように構成された第１の孔を画定していてもよい。
【００１３】
幾つかの実施形では、イオン源は第２のチャンバの外に配置された第２のフィラメントを含んでいる。第２のチャンバは、第２のフィラメントから発せられる第２の電子ビームを受け入れるように構成された第２の孔を画定していてもよい。第１のフィラメントは第１の反射器を含んでいてもよい。第２のチャンバは第３の孔を画定していてもよい。第１の反射器は第２の電子ビームを第３の孔を通して受け取るように構成されていてもよい。幾つかの実施例では、イオン源は、第２のチャンバの外に第３の孔に向いて配置された第３のフィラメントを含んでいる。
【００１４】
幾つかの実施形では、イオン源は、第１のチャンバ及び第２のチャンバの外に配置された少なくとも１つの磁石を含んでいる。磁石は、第１の体積と第２の体積の少なくとも一方を通して電子ビーム方向に平行な磁力線を生成するように構成されることができる。少なくとも１つの磁石は２つの適切な形状の磁極片を含んでいてもよい。幾つかの実施形では、少なくとも１つの磁石は２つの磁石を含んでいる。
【００１５】
幾つかの実施形では、第１のチャンバは、ガスクロマトグラフからの毛細管カラムを受け入れるように構成された開口部を含んでいる。第１のチャンバは開口部と流体連通している円錐台状の孔を含んでいてもよい。開口部は、第１の寸法と、第１の寸法に垂直の方向に延びる第２の寸法を画定していてもよい。第１の寸法対第２の寸法の比は、大凡１：４と１：６の間であってもよい。第１の寸法は開口部の直径を画定し、第２の寸法は開口部の長さを画定していてもよい。
【００１６】
幾つかの実施形では、イオン源は質量分析計内に配置されている。
【００１７】
本開示の別の態様によれば、単一の源組立体が、２つのイオン化型式（例えばＣＩとＥＩ）を組み合わせるように構成された２つのイオン化体積のタンデム配置を含むことができる。ガス状試料がＧＣキャリアガス（及び該当する場合には化学イオン化のための試薬ガス）と共に、最初に相対的に高い内部圧力を有する第１の体積（ＣＩゾーン）に入り、次いで小開口部（例えばノズル）を通って、分析計の真空システム内へのその幅広開口部のせいでほぼバックグラウンド真空圧力で動作している第２の体積（ＥＩゾーン）へ移される。このイオン源型式は、電子を生成するための２つの別々のフィラメント（例えば、各イオン体積につき１つのフィラメント）を含み、単独ＥＩスペクトル、単独ＣＩスペクトル、組合せＥＩ／ＣＩスペクトル、及び密接に交互するＥＩ／ＣＩスペクトルを生じさせることができるようになっていてもよい。
【００１８】
本開示の更に別の態様はタンデム型イオン源に関する。一部の実施形では、タンデム型イオン源はＧＣ−ＭＳ質量分析計内に配置されている。タンデム型イオン源は、閉鎖型イオン体積、開放型分子ビームイオン化ゾーン又は体積、及び抽出電極を含んでいてもよい。開放型体積は閉鎖型体積と流体連通していて閉鎖型体積の下流にあり、ガス状試料が閉鎖型イオン体積を通って開放型体積の中へ連続的に通過してゆけるようにしていてもよい。閉鎖型イオン体積は、化学イオン化（ＣＩ）向けに構成された相対的に高い内部圧力を含んでいてもよい。開放型体積は、開放型電子イオン化（ＥＩ）源向けに構成された相対的に低い圧力を含んでいてもよい。イオン源は、正のＣＩマススペクトル、負のＣＩマススペクトル、電子捕獲負イオン化（ＥＣＮＩ）マススペクトル、ＥＩマススペクトル、又は組合せＣＩ−ＥＩマススペクトルを含む１つ又はそれ以上のイオン化モードを生じさせるように構成されることができる。これらの複数のイオン化モードは、試料の組成についての相補的な情報を提供し、ゆえにマススペクトルの翻訳を単純化することができるだろう。試料の吸着又は分解を最小限にし幅狭で対称的なクロマトグラフィピーク形状をもたらすために、閉鎖型体積の内部面と開放型体積の内部面が等温性になるように閉鎖型イオン体積は開放型イオン体積に直接接触していてもよい。試料分子はＧＣキャリアガス及び何らかのＣＩ試薬ガスと共に、閉鎖型高圧力イオン体積から軸方向に小円錐状ノズルを通って出てゆき分子ビームを形成することができる。開放型イオン化体積の低い圧力にもかかわらず、イオン化が起こっている分子ビーム軸付近では局所試料密度が高くなるだろう。高い局所密度はタンデム型イオン源の源感受性を高めることができる。抽出電極は、開放型イオン体積内に配置されていて円錐状スキマーの様な形状であってもよい。抽出電極の形状は、不要キャリアガス分子のかなりの割合がイオン移動インターフェースに進入し分析計の感度に悪影響を及ぼすのを防ぐことができるだろう。抽出電極の形状はまた、軸上の試料イオンをイオンインターフェースの光学器の中へ方位決めすることができるだろう。
【００１９】
本開示の別の態様は、タンデム型イオン体積を有するガスクロマトグラフィ−質量分析（ＧＣ−ＭＳ）イオン源に関する。イオン体積同士は異なる内部圧力を有していてもよい。例えば、第１の閉鎖型イオン化体積は化学イオン化（ＣＩ）に適した相対的に高い圧力を有し、一方、第２の実質的に開放型のイオン体積は開放型電子イオン化（ＥＩ）源に典型的に見られる源チャンババックグラウンド圧力に近い極めて低い圧力を有していてもよい。装置は、飛行時間型（ＴＯＦ）、四重極型、イオントラップ型、又は何れかの他の適切な型式の質量分析計内に配置され又は含まれることができる。飛行時間型質量分析部が利用されている場合、直交加速を備える反射又は多重反射ＴＯＦ  ＭＳが利用されてもよい。源はイオン体積それぞれに１つとして２つの独立したフィラメントを具備し、単独ＣＩスペクトル、単独ＥＩスペクトル、組合せＣＩ／ＥＩスペクトル、及び交互式ＣＩ−ＥＩスペクトルを生じさせることができるようになっていてもよい。開放型体積のフィラメントは、低いイオン化エネルギーでの電子放出電流の制御を単純化するために、高温のフィラメントワイヤとイオン体積の間に位置決めされた金属グリッドを具備していてもよい。開放型体積のフィラメントを取り去り、紫外線（ＵＶ）又は可視光ビームに置換することもでき、そうすれば閉鎖型高圧イオン体積内でなおもＣＩを提供しながら光イオン化（ＰＩ）が可能になる。
【００２０】
幾つかの実施形では、試料は高圧イオン体積から開放型イオン体積の中へ軸方向円錐状ノズルを通って試料密度をビームの軸付近で増加させた有向分子ビームを形成しながら移行する。試料は、試料密度の増加した区域のクロス電子（又はＵＶ光）ビームによってイオン化されることができる。同時に、リペラ電極なしの開放型イオン体積設計は試料及び電子（又はＵＶ光）ビームに曝される表面積を最小限にすることができる。
【００２１】
幾つかの実施形では、２つのイオン体積は互いと及び加熱された源基部と直接接触しているので、試料に曝される何れの面も等温性である。試料吸着を引き起こしピークのテーリングを招いてしまうコールドスポットも試料の分解及び過度の断片化を招いてしまうホットスポットも排除される。
【００２２】
幾つかの実施形では、イオン抽出要素は典型的な分子ビームスキマーのような形状をしていて、ＧＣキャリアガス（Ｈ２、Ｈｅ）及びＣＩ試薬ガスの軽量（例えば低質量）分子のかなりの割合をイオン移動インターフェースの中への入り口から離して方向決めする一方で軸付近のより重いイオン化された分析種を集束させる。これは、開放型イオン体積の線形ダイナミックレンジと高速ガスクロマトグラフィ分析にとって望ましいより高い速度のＧＣガス流れについてのその感度を改善する。
【００２３】
本開示の更に別の態様は、改善された分析性能と有用性を有し、ＥＩ型とＣＩ型の両方のＧＣ−ＭＳスペクトルを単一のイオン源を用いて最適条件で同時に収集するように構成されたイオン源を提供している。幾つかの実施形では、イオン源はＥＩモードとＣＩモードで動作し、閉鎖型イオン化体積と実質的に開放型のイオン体積を含んでいる。
【００２４】
幾つかの実施形では、イオン源はよりソフトなイオン化を提供し、分子イオンのより大きい割合を（解離させることなく）保全し、試料中の未知の分析種の同定を単純化する。
【００２５】
適用可能性の更なる分野は、ここに提供されている説明から明白になるであろう。この概要の中の記述及び特定の実施例は、専ら例示を目的としており、本開示の範囲を限定するつもりはない。
【００２６】
ここに説明される図面は、選択された構成のみを例示することが目的であり、全ての考えられ得る実施形を例示するためではなく、また本開示の範囲を限定する意図はない。
【００２７】
図面全体を通して対応する符号は対応する部分を表している。
【図面の簡単な説明】
【００２８】
【図１】本開示の原理による２段イオン源の断面概略図である。
【図２】本開示の原理による、高圧イオン体積の側面の毛細管ガスクロマトグラフィカラムのための気密接続の断面概略図である。
【図３】本開示の原理による２段イオン源を含んでいる直交加速を備えた反射飛行時間型質量分析計の断面概略図である。
【発明を実施するための形態】
【００２９】
これより添付図面を参照しながら構成例をより十分に説明してゆく。構成例は、この開示が徹底され開示の範囲を当業者に十分に伝えることができるように提供されている。本開示の諸構成の十分な理解をもたらすために、特定の構成要素、デバイス、及び方法の実施例の様な特定の詳細事項が示されている。当業者には自明である様に、特定の詳細事項は採用される必要があるとは限らず、当該構成例は多くの異なる形態に具現化されることができ、特定の詳細事項及び構成例は開示の範囲を限定するものと解釈されてはならない。
【００３０】
本明細書で使用されている用語遣いは、専ら特定の例示としての構成を説明することが目的であり、限定を課す意図はない。本明細書での使用に際し、原文の単数を表す冠詞「ａ」、「ａｎ」、及び「ｔｈｅ」の対訳である「或る」、「一」、及び「当該」は、別途文脈によって明白に指示されていない限り、複数形も含むものとする。「備える」、「備えている」、「含んでいる」、及び「有している」という用語は包含的であり、したがって特徴、工程、動作、要素、及び／又は構成要素の存在を指示するが、１つ又はそれ以上の他の特徴、工程、動作、要素、構成要素、及び／又はそれらの群の存在又は追加を排除しない。本明細書に説明されている方法の工程、プロセス、及び動作は、遂行の順序として特に識別されていない限り、論じられている又は例示されている特定の順序でそれらが遂行されることを必然的に要求するものであると解釈されてはならない。追加の又は代わりの工程も採用され得る。
【００３１】
或る要素又は或る層が、別の要素「上」又は別の層「上」にある、別の要素又は別の層へ「係合されている」、「接続されている」、「付着されている」、又は「連結されている」という場合、それは、直接的に他方の要素上又は他方の層上にある、直接的に他方の要素又は他方の層へ係合されている、接続されている、付着されている、又は連結されていることもあれば、介在する要素又は介在する層が存在していることもある。対照的に、或る要素が別の要素上又は別の層上に「直接ある」、別の要素又は別の層へ「直接係合されている」、「直接接続されている」、「直接付着されている」、又は「直接連結されている」という場合、介在する要素又は介在する層は存在しないということになる。要素同士の関係を記述するのに使用されている他の語は同様の方式で解釈されるものとする（例えば、「○○の間に」対「○○の間に直接に」や「○○に隣接して」対「○○に直接隣接して」など）。本明細書での使用に際し「及び／又は」という用語は、関連の一覧品目のうちの１つ又はそれ以上から成るありとあらゆる組合せを含む。
【００３２】
第１の、第２の、第３の、などの用語は、本明細書では、様々な要素、構成要素、領域、層、及び／又は区分を記述するのに使用されることがある。これらの要素、構成要素、領域、層、及び／又は区分は、これらの用語によって限定されるものではない。これらの用語は、１つの要素、構成要素、領域、層、又は区分を、別の領域、層、又は区分と区別するために使用されているにすぎない。「第１の」、「第２の」、及び他の数的用語の様な用語は、文脈によって明白に指し示されていない限り、或るシーケンス又は順序を含意するものではない。したがって、以下に論じられている第１の要素、第１の構成要素、第１の領域、第１の層、又は第１の区分が、構成例の教示から逸脱することなく、第２の要素、第２の構成要素、第２の領域、第２の層、又は第２の区分と呼称されることもあり得る。
【００３３】
図１を参照すると、本開示の原理による２段イオン源１００が示されている。２段イオン源１００は、高圧イオン体積（例えばチャンバ）２、ほぼバックグラウンド圧力を有する開放型イオン体積（例えばチャンバ）３、及び塊状基部１を含むものとすることができる。イオン体積２とイオン体積３は、積重され、源の基部１へしっかり付着されているものとしてもよい。源の基部１は、ヒータ及び温度センサ２８を含み、２段イオン源１００がヒータ２８によって加熱されるようにしていてもよい。
【００３４】
チャンバ２、３及び基部１は金属から形成され、チャンバ２、３及び基部１の接触区域は磨かれていて、チャンバ２とチャンバ３の間のチャンバ対チャンバ接触区域並びにチャンバ２と基部１の間のチャンバ対基部接触区域は、良好な熱移動を促し確実にイオン源１００が等温性となるようにするため十分に磨かれた金属面とすることができる。チャンバ２、３は、それぞれ、１０ミリメートルから１６ミリメートルの間の内径を画定していてもよい。チャンバ２、３及び／又は基部１は、外部パワー供給によってイオンチャンバ電位へ電気的にバイアスされていてもよい。
【００３５】
高圧チャンバ２は、単段又は２段ガスクロマトグラフ（図示せず）からの毛細管カラム向けの気密接続を画定する開口部４を含んでいてもよい。分析される試料の蒸気はＧＣキャリアガスと共に接続４を通って源１００の高圧チャンバ２に進入することができる。
【００３６】
源の基部１は、源の高圧イオン体積の中への化学試薬ガス又は較正化合物の一方又は両方の送達を可能にさせる追加の開口部５を含んでいてもよい。幾つかの実施形では、化学試薬ガス及と較正化合物は同時に開口部５を通って送達される。基部１は、気化させた試料を直接挿入プローブ（ＤＩＰ）又は直接暴露プローブ（ＤＥＰ）を用いて導入するための追加の開口部６を含んでいてもよい。幾つかの実施形では、開口部５、６は、源の基部１ではなしにイオン体積２の壁に形成されているか、又はガス及び蒸気が高圧チャンバ２の中へ送達されるようにする何れかの他の適切なやり方で形成されている。開口部５、６は、概してイオン源１００の周囲の雰囲気へ開口しているものとして描かれているが、一部の配置では、使用中、開口部５は化学試薬ガス及び較正化合物の源と流体連通していてもよく、また開口部６はＤＩＰ又はＤＥＰと流体連通していてもよい。
【００３７】
高圧イオン体積２は、９ミリメートルと１３ミリメートルの間の外寸法を有するリペラ電極７を含んでいてもよい。幾つかの実施形では、容易脱着を確実にするために、リペラ電極７は、外寸法が外径を画定するような丸い又は六角形の形状を画定している（例えば丸いリペラ電極）。このリペラ電極７は、外部パワー供給によって、イオンチャンバ２の電位とは異なる電位へ独立にバイアスされるようになっていてもよい。リペラ電極７への電気的バイアス又はリペラ電極７を高圧イオン体積２の内部に存在させることは源１００の動作にとって必須というわけではなく、試料イオンはイオン体積２の外を試薬及びキャリアガス流れだけによって搬送されイオン光学器電位勾配によって抽出されるようにしてもよい。しかし、リペラ電極７の適正に選択（例えば調整）された電圧は源１００の感度を大きく改善することができるだろう。
【００３８】
高圧イオンチャンバ２は更に円錐状ノズル８を含んでいてもよい。描かれている様に、幾つかの実施形では、ノズル８は軸に沿ってチャンバ２の頂部に配置されている。ノズル８は約１ｍｍの最小（例えばノズル８の最も幅の狭い箇所の）直径を画定していてもよい。中性の試料蒸気又は試料イオンが（例えばチャンバ２のフィラメント１０がオンになっている場合）、ノズル８を通って高圧体積２を去り、そのまま軸方向に或る程度の流れ膨張を伴いながら開放型イオン体積３に入ってゆくことになる。
【００３９】
チャンバ２は更に高圧イオン体積２の側面に追加の孔９を含んでいてもよい。追加の孔９は約０．５ミリメートルの直径を画定していて、チャンバ２の内側頂部から１ミリメートル乃至２ミリメートルの間隔を空けて配置されていてもよい。動作中に、孔９はフィラメント１０によって発せられる電子ビームを受け入れ、よって電子ビームはイオン体積２に進入する。
【００４０】
源１００は更に磁石１５を含んでいてもよい。幾つかの実施形では、磁石１５は永久磁石である。磁石１５は、イオン源組立体１００を横断して延びる磁力線を有する磁界を作成し又は生成するようになっていてもよい。磁界は、フィラメント１０から発せられる電子ビームをイオン体積２、３に向けて方向決めし、電子経路を増大させ、こうして源１００のイオン収量を高める。試料蒸気のわずかな割合が試薬及びキャリアガスと共に電子ビーム孔９を通って出てゆくかもしれない。このわずかな割合の分子は、電子ビーム中にイオン化されたとしても、インターフェースイオン光学器によって抽出されず、源１００の真空システム（図示せず）によって排気されるだろう。
【００４１】
源１００は更に円錐状抽出器１４を含んでいてもよい。軸方向にノズル８を通って開放型イオン体積３の中へ出てゆくイオン化された試料は、円錐状抽出器１４の電界によって軸方向に加速され、質量分析計のイオン移動インターフェースの中へ更に運ばれることができる。抽出器１４の形状は、試料が激減しＧＣキャリアガスが豊富になっている外側ビームを除去のために真空システムの中へ偏向させることをやり易くする。抽出器１４は、１．５ミリメートルと４ミリメートルの間の直径を有している中心に位置する孔を含んでいてもよい。
【００４２】
開放型イオン体積３は、フィラメント１１を含み、１つ又はそれ以上の開口部１３を画定していてもよい。例えばフィラメント１０がオフであったことが理由で又は試料の化学的特質が理由で、試料が高圧イオン体積２内で化学イオン化プロセスによってイオン化されない場合、試料は開放型イオン体積３内で電子イオン化によってイオン化されることができる。例えば、フィラメント１１をオンにして、フィラメント１１によって発せられる電子ビームが開口部１３のうちの第１の開口部を通って低圧イオン体積３に進入し出てゆくようにすることができる。開口部１３は、２ミリメートルと３ミリメートルの間の直径を画定していて開放型イオンチャンバ３の側面に配置されていてもよい。開口部１３の中心線は、チャンバ３の底部から１ミリメートル乃至５ミリメートル離れて位置していてもよい。幾つかの実施形では、フィラメント１０、１１は電子反射器を含んでいる。フィラメント１０の反射器は、フィラメント１１によって発せられる電子に反射器が働きかけるように開口部１３の１つに面して延びていてもよい。こうして、フィラメント１１が作動されると、磁界による影響を受けた電子が、フィラメント１０、１１の反射器間を行きつ戻りつし、やがてガス及び蒸気の分子又は源１００の壁と衝突することになる。
【００４３】
源１００は更に金属グリッド１２を含んでいてもよい。金属グリッド１２は、フィラメント１１と開放型イオンチャンバ３の側面の開口部１３との間に配置されていてもよい。グリッド１２は外部パワー供給によって、イオン体積３及びフィラメント１１のどちらよりも強い正の電位へ独立にバイアスされてもよい。グリッド１２の電位とフィラメント１１の電位の差は８０ボルトと３００ボルトの間であってもよい。グリッド１２の電位とイオン体積３の電位の差は５０ボルトと１５０ボルトの間であってもよい。幾つかの実施例では、金属グリッド１２はフィラメント１０と孔９の間に配置されることができる。
【００４４】
グリッド１２は、２つの異なる状況での電子放出電流制御を安定化させるのに役立つだろう。例えば、源１００が非常に大量の試料を装填されたとき、開口部１３近くでイオン化された分子は、グリッド１２上の正の電位のためにイオン体積３の中へはじき戻されるであろう。グリッド１２が不在の場合、イオンはフィラメント１１へ引き寄せられるはずである。この追加のイオン電流は、電子放出電流測定を乱し、フィラメント電流制御ループの安定性を低下させかねない。イオン源１００が大量の試料で過負荷になったときにグリッド１２はより広いダイナミックレンジとより素早い回復を実現するのに役立つ。加えて、低い電子エネルギー時、グリッド１２なしに形成された源１００では、最大実現可能電子放出電流はチャイルドの法則に記されている様に空間電荷によって制限される。フィラメントに密に近接した正にバイアスされた（電子加速性）グリッド１２は、フィラメント付近の空間電荷を低減し、低電子（イオン化）エネルギー時のフィラメント電流制御を単純化する。
【００４５】
開放型イオン体積３内の電子イオン化は随意的に光イオン化によって置換されることができる。例えば、フィラメント１１を除去し、フィラメント１０の反射器の長さを短くし、磁石１５を源基部１に向かってより低くシフトさせ、貫通孔１３を少なくとも直径４ミリメートルへ広げればよい。ノズル８を通って出てゆく試料ビームをＵＶ光源の光ビームが照射するようにＵＶ光源（図示せず）を位置決めすればよい。
【００４６】
開放型イオン体積３内で電子イオン化又は光イオン化によって産生されたイオンは抽出器１４によって軸方向に加速されることができる。任意の所与の時点で、フィラメント１０をオンにしてＣＩスペクトルを記録させ、フィラメント１１をオンにしてＥＩスペクトルを記録させ、又は両方のフィラメント１０、１１をオンにして組合せＥＩ／ＣＩスペクトルを記録させることができる。光イオン化の場合は、単独ＣＩスペクトル、単独ＰＩスペクトル、又は組合せＣＩ／ＰＩスペクトルを記録させることができる。
【００４７】
殆どの商業的な閉鎖型ＥＩ源とは異なり、開放型イオン体積３はリペラ電極を含んでいなくてもよい。イオンは分子ビームの軸方向下流運動と円錐状抽出器１４の電界とによって方向決めされることができるだろう。
【００４８】
基部１、体積２、３、リペラ電極７、及び抽出器１４は、当業者によく知られている任意の適切な不活性非磁性金属又は合金で構築されることができる。
【００４９】
高圧イオン体積２と開放型イオン体積３のタンデム型配置を考慮すると、ノズル８を通って開放型イオン体積３の中へ移動する分析種蒸気の割合は最大化され、高圧イオンチャンバ２側の他の開口部を通っての試料損失は最小化されるだろう。
【００５０】
図２を参照すると、毛細管ＧＣカラム２４の変形型及び毛細管ＧＣカラム２４の高圧イオンチャンバ２への移動ライン２５の接続が示されている。移動ライン２５とイオン体積２は概して異なる電位を有しているので、移動ライン２５はイオン体積２と直接には機械的に接触していなくてもよい。ＣＩ源の毛細管カラム開口部を封止する伝統的なやり方が図２の上側の部分に示されている。例えば、円錐状セラミックスペーサ２６を移動ライン２５の先端に密に嵌め、ばね２７で高圧イオン体積２の円錐状開口部４に押し付けるようにしていることがある。密な嵌め合いにもかかわらず、セラミックスペーサ２６は移動ライン２５の先端で自由に滑動する可能性がある。シールの気密性は、噛み合い部分（例えば２、２６）の寸法公差及び圧縮されたばね２７によって生成される力に依存する。イオン源（例えば源１００）、移動ライン２５、ひいてはばね２７の熱循環に加え開口部４の全体として大きなサイズのせいで、ＣＩ源の開口部４を通って試薬ガスが漏出し、要求される試薬ガス流れの変動を招く可能性がある。
【００５１】
図２の下側部分は、本開示の原理によるイオン源（例えばイオン源１００）のための移動ライン２５を描いている。移動ライン２５は高圧イオンチャンバ２に直接接触していなくてもよい。開口部４の直径対開口部４の長さの比は１：４と１：６の間とすることができる。一部の実施形では、開口部４の直径は０．５ｍｍと０．７ｍｍの間とすることができる。毛細管カラムによって妨げられていないときでも、ＣＩ源の作動圧力でのガス流れの特質のせいで、この開口部４のガス流れ抵抗が、流出流の殆どがノズル８（図１）を通ることを確約するだろう。高圧イオン体積２の外側側面は、毛細管ＧＣカラム２４の挿入を単純化するために、開口部４と流体連通した浅い円錐状引込部を含み又は画定していてもよい。
【００５２】
最新の毛細管カラムの柔軟性のおかげで、移動ライン２５と開口部４の間の精密な整列は要求されないかもしれない。図２の下側部分に示されている移動ライン２５は、分析の実行回間での及び機器間でのより高い再現性を提供し、摩耗性の(wearable）部品をあまり必要としない。
【００５３】
図３を参照すると、直交加速を備えた反射飛行時間型（ＴＯＦ）質量分析計２００が２段イオン源１００を含むものとして示されている。２段イオン源１００は、多重反射ＴＯＦ型機器（例えば、レコ社（ＬＥＣＯ）によるＰＥＧＡＳＵＳ（登録商標）ＧＣ−ＨＲＴ）、四重極型質量分析部、イオントラップ型、又は何れかの他の適した質量分析部と共に使用されることもでき得るものと理解しておきたい。タンデム型の源１００は、概して連続イオンビームを産生することができるが、源１００は２つのフィラメント（例えば、フィラメント１０とフィラメント１１）を（間に何らかの短いイオン電流ドロップアウトを用いて）切り替えることによってＣＩスペクトルとＥＩスペクトルを交互に生じさせることもできる。
【００５４】
分析計２００は、源インターフェース真空チャンバ１６、質量分析部真空チャンバ１７、及びイオン移動インターフェース１８を含んでいてもよい。連続イオンビームは源インターフェース真空チャンバ１６から質量分析部真空チャンバ１７へイオン移動インターフェース１８によって送られることができる。
【００５５】
質量分析部１７は、直交加速器２０、ドリフト領域、イオンミラー２２、及び荷電粒子検出器２３を含むものとすることができる。質量分析部１７では、イオンビームは、（ｉ）直交加速器２０でのパルス式加速、（ｉｉ）ドリフト領域２１での２つの定速度軌道セグメント、及び（ｉｉｉ）中間のイオンミラー２２での反射、に曝されることになる。最終的に、イオンマススペクトルが荷電粒子検出器２３によって記録されることになる。幾つかの実施形では、荷電粒子検出器２３はマイクロチャネルプレートを含んでいる。
【００５６】
２つの真空チャンバ１６、１７は、高真空ポンプＰ１及びＰ２によってそれぞれ独立に排気されていてもよい。ポンプＰ１、Ｐ２は、２００リットル／秒と４００リットル／秒の間の排気速度を有していて適切な粗引きポンプによって支援されているターボ分子ポンプを含んでいてもよい。幾つかの実施形では、２つの個別のターボ分子ポンプＰ１、Ｐ２の代わりに、分析計２００は単一のマルチインレットターボポンプ（図示せず）を含むこともできる。
【００５７】
分析計２００は、２つの真空チャンバ１６と１７の間に配置された小オリフィス１９を含んでいてもよい。オリフィス１９は差動排気を可能にすることができる。１つの標準的ｍＬ／秒の典型的ＧＣキャリアガス流れ及び１つの標準的ｍＬ／秒の追加のＣＩ試薬ガス流れのもとで、真空チャンバ１６内の作動圧力は約１．４Ｅ−４ｍｂであり、一方、真空チャンバ１７内の圧力は、オリフィス１９のサイズ、チャンバ１７の漏れ止め性、及びチャンバ１７内部の材料のガス放出速度に依存して、５Ｅ−６ｍｂから１Ｅ−８ｍｂの間であるとしてもよい。上記ガス流れの設定では、イオン体積２内の圧力は０．３ｍｂに大凡等しくてもよい（ゆえに「高圧イオン体積」という名がつく）。化学イオン化は、０．１ｍｂと３ｍｂの間の試薬ガス圧力を必要とするのに対し、閉鎖型電子イオン化源は１Ｅ−３ｍｂから１Ｅ−２ｍｂのバックグラウンドガス圧力で動作するものである。ＣＩ試薬ガス（普通はメタン、イソブタン、又はアンモニア）不在の場合、分析種物質はイオン化されたＧＣキャリアガス（典型的にはヘリウム又は水素）との電荷交換反応を被ることになる。この反応での高いエネルギー移動は往々にして分析種解離を生じさせる。結果として正に帯電したイオンのマススペクトルは同じ分析種についてのＥＩスペクトルによく似たものとなる。このイオン化モードが開放型イオン体積内でのＥＩイオン化の実用性を減じることはないだろう。２つのイオン体積２、３の圧力は３桁も異なり得る。ゆえに、開放型イオン体積３は、より大きな線形ダイナミックレンジとより優れた感度を有する電子イオン化が可能である。
【００５８】
以上の記述は例示と説明を目的に提供されている。網羅的であろうとする意図も開示を制限する意図もない。特定の構成の個々の要素又は特徴は、概して当該の特性の構成に限定されるのではなく、適用可能である場合には入れ替え可能であり明確に図示又は説明されていなくても選択された構成で使用されることができる。前記特定の構成の個々の要素又は特徴は多くのやり方で変えられてもよい。その様な変化型は開示からの逸脱とは見なされず、全てのその様な修正型は開示の範囲内に含まれるものとする。
【符号の説明】
【００５９】
１  基部
２  高圧イオン体積
３  バックグラウンド圧力を有する開放型イオン体積
４  開口部
５  開口部
６  開口部
７  リペラ電極
８  円錐状ノズル
９  孔
１０  フィラメント
１１  フィラメント
１２  金属グリッド
１３  開口部
１４  円錐状抽出器
１５  磁石
１６  源インターフェース真空チャンバ
１７  質量分析部真空チャンバ
１８  イオン移動インターフェース
１９  オリフィス
２０  直交加速器
２１  ドリフト領域
２２  イオンミラー
２３  荷電粒子検出器
２４  毛細管ＧＣカラム
２５  移動ライン
２６  円錐状セラミックスペーサ
２７  ばね
２８  温度センサ
１００  ２段イオン源
２００  反射飛行時間型（ＴＯＦ）質量分析計
Ｐ１、Ｐ２  高真空ポンプ
【図１】
2021521605.tif 000003
【図２】
2021521605.tif 000004
【図３】
2021521605.tif 000005
【国際調査報告】
2021521605.tif 000006
2021521605.tif 000007